(57)【要約】      （修正有）【課題】ダンパ装置をダクト内に備え、ダクトのシール接続部のシール性を向上し冷気漏れを抑制した冷蔵庫を提供する。【解決手段】冷気を生成する冷却器の上部に配置され生成された冷気を冷蔵室へ送風するファンとを有する冷却室があり、ファンによって冷蔵室へ冷気を送風する貯蔵室ダクトと、貯蔵室ダクト内に貯蔵室へ送風する風量を調節するダンパ装置を備えた冷蔵庫において、貯蔵室ダクトは上部貯蔵室風路と下部貯蔵室風路２８ｂで構成して上下方向でシールするシール接続部２８ｃによって接続され、ダンパ装置は下部貯蔵室風路２８ｂ内に埋設し、ダンパ装置のモータ部３７ｂに対応するシール接続部２８ｃのシール面高さはモータ部３７ｂの高さに合わせたのでダンパ装置周辺部のシール性を向上でき、冷気漏れを抑制できる。【選択図】図６
2018146130.tif 000002
【特許請求の範囲】
【請求項１】
冷気を生成する冷却器と、前記冷却器の上部に配置され生成された冷気を貯蔵室へ送風するファンとを有する冷却室があり、前記ファンによって前記貯蔵室へ冷気を送風する貯蔵室風路と、前記貯蔵室風路内に前記貯蔵室へ送風する風量を調節するダンパ装置を備えた冷蔵庫において、前記貯蔵室風路は上部貯蔵室風路と下部貯蔵室風路で構成して上下方向でシールするシール接続部によって接続され、前記ダンパ装置は前記下部貯蔵室風路内に埋設し、前記ダンパ装置のモータ部に対応する前記シール接続部のシール面高さは前記モータ部の高さに合わせたことを特徴とする冷蔵庫。
【請求項２】
前記下部貯蔵室風路内に埋設されたダンパ装置の開閉フラップの外周を形成するシール接続部のフラップシール面はモータ部に対応するシール接続部のモータシール面高さよりも低く形成され、前記シール接続部は前記モータシール面からフラップシール面に向かって傾斜していることを特徴とする請求項１に記載の冷蔵庫。
【請求項３】
前記下部貯蔵室風路は上部貯蔵室と下部貯蔵室とを上下に断熱区画する断熱区画壁内に構成されていることを特徴とする請求項１または２に記載の冷蔵庫。
【請求項４】
前記下部貯蔵室風路の上面に形成されるシール接続部のシール面は前方に向かって傾斜していることを特徴とする請求項１から３のいずれか１項に記載の冷蔵庫。
【発明の詳細な説明】
【技術分野】
【０００１】
本発明はダンパ装置を埋設した冷気通路を備えた冷蔵庫に関するものである。
【背景技術】
【０００２】
図８はダンパ装置を埋設した従来のダクト装置である。上部に冷蔵室と下部に冷凍室、冷却器の上部に配置され生成された冷気を各室へ強制的に送風するファンとを有し、冷蔵室へ冷気を送風する冷蔵室送風ダクト１０１と、冷気を冷却器に帰還させる冷蔵室帰還ダクト１０２とを有するダクト装置１０３とを備え、ダクト装置１０３は上部ダクト部材１０４と下部ダクト部材１０５とを有し、内部にダンパ装置１０６を埋設し、上下方向でシールするシール接続部１０７によって接続したので、冷気が外部へ漏れる虞を低減でき、ダクト装置周辺の信頼性向上、各貯蔵室への適正風量を確保することができるようにしたものがある（例えば、特許文献１参照）。
【先行技術文献】
【特許文献】
【０００３】
【特許文献１】特開２０１１−１４９６８０号公報
【発明の概要】
【発明が解決しようとする課題】
【０００４】
上記特許文献１に記載の冷蔵庫によれば、ダクト装置１０３を上部ダクト部材１０４と下部ダクト部材１０５とで上下方向で接続するので、冷気が外部へ漏れるのを低減できる利点がある。
【０００５】
しかしながら、ダンパ装置１０６はダンパ装置１０３内にフラップ部とフラップ部を駆動するモータ部を備えており、ダンパ装置１０３から上方に飛出したモータ部との間に段差形状ができるため、この段差形状のシール性を確保しないと、冷気が内部で漏れ、冷蔵室送風ダクト１０１の冷気と冷蔵室帰還ダクト１０２の冷気とが混ざり冷却効率の低下および結露等の信頼性の低下のおそれがある、という課題があった。
【０００６】
本発明はこのような点に鑑みてなしたもので、ダンパ装置の形状に配慮したダクト装置の接続部のシール性を確保し、ダクト装置の外部または内部へ冷気が漏れるのを抑制した冷蔵庫の提供を目的としたものである。
【課題を解決するための手段】
【０００７】
本発明は、上記目的を達成するため、冷気を生成する冷却器と、前記冷却器の上部に配置され生成された冷気を貯蔵室へ強制的に送風するファンとを有する冷却室があり、前記ファンによって前記貯蔵室へ冷気を送風する貯蔵室ダクトと、前記貯蔵室ダクト内に前記貯蔵室へ送風する風量を調節するダンパ装置を備えた冷蔵庫において、前記貯蔵室ダクトは上部貯蔵室風路と下部貯蔵室風路で構成して上下方向でシールするシール接続部によって接続され、前記ダンパ装置は前記下部貯蔵室風路内に埋設し、前記ダンパ装置のモータ部に対応する前記シール接続部のシール面高さは前記モータ部の高さに合わせたものである。
【０００８】
これにより、ダンパ装置のモータ部周辺のような段差形状が大きい部分のシール性を向上することができ、シール接続部の冷気漏れを低減することができる。
【０００９】
また、下部貯蔵室風路内に埋設されたダンパ装置の開閉フラップの外周を形成するシー
ル接続部のフラップシール面はモータ部に対応するシール接続部のモータシール面高さよりも低く形成され、前記シール接続部は前記モータシール面からフラップシール面に向かって傾斜しているので、シール接続部全周のシール性を向上することができる。
【００１０】
また、下部貯蔵室風路は上部貯蔵室と下部貯蔵室とを上下に断熱区画する断熱区画壁内に構成されているので、作業性を向上することができる。
【００１１】
また、下部貯蔵室風路の上面に形成されるシール接続部のシール面は前方に向かって傾斜しているので、彫像室ダクト上部のシール面を前方からはめ込む時、下部貯蔵室風路のシール面に圧接して固定されるので、さらにシール性を向上することができる。
【発明の効果】
【００１２】
本発明は、上記構成により、ダンパ装置周辺のダクト接続部のシール性を向上した冷蔵庫を提供することができる。
【図面の簡単な説明】
【００１３】
【図１】本発明の実施の形態１における冷蔵庫の斜視図
【図２】同冷蔵庫の内部を示す正面図
【図３】同冷蔵庫の断面図
【図４】同冷蔵庫の冷気流れを説明する説明図
【図５】同冷蔵庫の冷蔵室を示す断面図
【図６】同冷蔵庫の断熱区画壁の要部斜視図
【図７】図６のＡ−Ａ断面図に冷蔵室ダクトの一部断面図を上部に追加した図
【図８】従来の冷蔵庫を示す断面図
【発明を実施するための形態】
【００１４】
第１の発明は、冷気を生成する冷却器と、前記冷却器の上部に配置され生成された冷気を貯蔵室へ強制的に送風するファンとを有する冷却室があり、前記ファンによって前記貯蔵室へ冷気を送風する貯蔵室ダクトと、前記貯蔵室ダクト内に前記貯蔵室へ送風する風量を調節するダンパ装置を備えた冷蔵庫において、前記貯蔵室ダクトは上部貯蔵室風路と下部貯蔵室風路で構成して上下方向でシールするシール接続部によって接続され、前記ダンパ装置は前記下部貯蔵室風路内に埋設し、前記ダンパ装置のモータ部に対応する前記シール接続部のシール面高さは前記モータ部の高さに合わせたものである。
【００１５】
これにより、ダンパ装置のモータ部周辺のような段差形状が大きい部分のシール性を向上することができ、シール接続部の冷気漏れを低減することができる。
【００１６】
第２の発明は、第１の発明において、下部貯蔵室風路内に埋設されたダンパ装置の開閉フラップの外周を形成するシール接続部のフラップシール面はモータ部に対応するシール接続部のモータシール面高さよりも低く形成され、前記シール接続部は前記モータシール面からフラップシール面に向かって傾斜している。
【００１７】
これにより、シール接続部全周のシール性を向上することができる。
【００１８】
第３の発明は、第１または第２の発明において、下部貯蔵室風路は上部貯蔵室と下部貯蔵室とを上下に断熱区画する断熱区画壁内に構成されている。
【００１９】
これにより、作業性を向上することができる。
【００２０】
第４の発明は、第１から第３のいずれかの発明において、下部貯蔵室風路の上面に形成
されるシール接続部のシール面は前方に向かって傾斜しているものである。
【００２１】
これにより、彫像室ダクト上部のシール面を前方からはめ込む時、下部貯蔵室風路のシール面に圧接して固定されるので、さらにシール性を向上することができる。
【００２２】
以下、本発明の実施の形態について、図面を参照しながら説明する。なお、この実施の形態によって本発明が限定されるものではない。
【００２３】
（実施の形態１）
図１〜図４は冷蔵庫の全体構成を説明する図、図５〜図７は要部を説明した図である。
【００２４】
＜１−１．冷蔵庫の全体構成＞
まず図１〜図４を用いて冷蔵庫の全体構成を説明する。
【００２５】
図１〜図４において、本実施の形態に係る冷蔵庫は、前方を開口した冷蔵庫本体１を備え、この冷蔵庫本体１は金属製の外箱２と、硬質樹脂製の内箱３と、前記外箱２および内箱３の間に発泡充填された発泡断熱材４とで構成してあり、断熱区画壁５、６等によって複数の貯蔵室が断熱区画形成してある。また、前記冷蔵庫本体１の各貯蔵室は冷蔵庫本体１と同様の断熱構成を採用した回動式の扉７或いは引出し式の扉８、９、１０、１１で開閉自在としてある。
【００２６】
冷蔵庫本体１内に形成した貯蔵室は、最上部の冷蔵室１４と、冷蔵室１４の下に設けた小容量の冷凍室となる貯蔵室（以下、第二冷凍室と称す）１５とその横に設けた製氷室１６と、第二冷凍室１５および製氷室１６と最下部の野菜室１７との間に設けた大容量の第一冷凍室１８で構成している。そして、前記冷蔵室１４には複数の棚板２０が設けてあり、その下部にはパーシャル室２２が設けてある。
【００２７】
上記冷蔵室１４は、冷蔵保存するための貯蔵室で、凍らない程度の低い温度、具体的には、通常１〜５℃に設定され冷却される。また、冷蔵室内に設けたパーシャル室２２は冷蔵室１４よりも低い約―３℃前後の温度に設定され冷却される。
【００２８】
野菜室１７は、冷蔵室１４と同等もしくは若干高く温度設定される貯蔵室で、具体的には、２〜７℃に設定され冷却される。この野菜室１７は野菜等の収納食品から発せられる水分により高湿度となるため、局所的に冷えすぎると結露することがある。そのため、比較的高い温度に設定することで冷却量を少なくし、局所的な冷えすぎによる結露発生を抑制している。
【００２９】
第一冷凍室１８及び第二冷凍室１５は、冷凍温度帯に設定される貯蔵室で、具体的には、通常−２２〜−１８℃に設定され冷却されるが、冷凍保存状態向上のため、例えば−３０℃や−２５℃などの低温に設定され冷却されることもある。
【００３０】
なお、第二冷凍室は冷凍温度帯から冷蔵温度帯まで冷却温度を切り替えることができる切替室としてもよいものである。
【００３１】
一方、前記第一冷凍室１８の背面には冷却室２３が設けてあり、この冷却室２３には冷気を生成する冷却器２４と、冷気を前記各室に供給するファン２５とが設置してある。そして更に冷却器２４の下方にはガラス管ヒータ等で構成した除霜手段２６（以下、ガラス管ヒータと称す）が設けてある。
【００３２】
冷却器２４は、圧縮機２７と、コンデンサ（図示せず）と、放熱用の放熱パイプ（図示
せず）と、キャピラリーチューブ（図示せず）とを環状に接続して冷凍サイクルを構成しており、圧縮機２７によって圧縮された冷媒の循環によって冷却を行う。
【００３３】
また、ファン２５は冷却器２４の上方に設けてあり、その下流側に連なる冷蔵室ダクト２８、冷凍室ダクト２９、野菜室ダクト３０を介して冷蔵室１４、第一冷凍室１８、野菜室１７等に冷気を供給し、これら各室を冷却するようになっている。
【００３４】
以下、上記冷却室２３、冷蔵室１４、第一冷凍室１８、第二冷凍室１５、野菜室１７の構成について説明していく。
【００３５】
＜１−２．冷却室と冷気供給構成＞
次に、図３と図５〜図７を用いて冷却室と冷気供給構成について説明する。
【００３６】
冷却室２３は第一冷凍室１８の背面にあって図３に示すように冷却室カバー３１と内箱３とによって形成してあり、冷却室カバー３１の上部にファン２５を装着することにより冷却器２４上方にファン２５を位置させてある。また、冷却室カバー３１の前面側には冷凍室カバー３２を装着してファン２５の下流側を覆い冷却室２３との間に冷却ファン下流側と連通する冷凍室ダクト２９を形成している。
【００３７】
そして、上記ファン２５の下流側には冷蔵室１４の冷蔵室ダクト２８と、野菜室１７の野菜室ダクト３０が、それぞれ異なる位置で別個に独立した形で接続してある。詳述すると、前記冷却ファン下流側の上部の上面は図４等に示すように冷蔵室１４と第一冷凍室１８を断熱区画する断熱区画壁５に設けた下部冷蔵室風路２８ｂを、シール接続部であるシール面２８ｃを介して上部冷蔵室風路である冷蔵室ダクト２８と接続している。
【００３８】
またファン２５下流側の上部の側方には第２冷気供給口３４を設けて野菜室ダンパ７５を介して野菜室ダクト３０が接続してある。すなわち、上記冷蔵室ダクト２８と野菜室ダクト３０は冷却室２３に対し、それぞれ異なる位置で別個に独立した形で接続してある。そして、冷却器２４で生成した冷気をファン２５によって前記第１冷気供給口３３と第２冷気供給口３４に別個に独立した形で供給し、冷蔵室ダクト２８と野菜室ダクト３０へと供給する。
【００３９】
＜１−３．冷蔵室とその冷却構成＞
次に図３と図５を用いて冷蔵室とその冷却構成を説明する。
【００４０】
冷蔵室１４は、冷蔵庫本体１の最上部に位置していて図３、図５に示すように複数の棚板２０を有しており、背面に前記した冷蔵室ダクト２８が設けてある。
【００４１】
冷蔵室ダクト２８は図に示すように発泡スチロールからなる断熱部材の冷蔵室側表面を化粧板となる樹脂製のカバーで覆って構成している。また冷蔵室１４と第一冷凍室１８との間は、内部にウレタンを充填した断熱材で仕切る断熱区画壁５で上下に区画されている。
【００４２】
断熱区画壁５の奥側には冷蔵室１４への風路の一部である下部冷蔵室風路２８ｂを構成する第１冷気供給口３３を備え、冷却室２３と連通している。そして、冷却器２４とファン２５を備えた冷却室２３の上面に開口した通風口と連通する下部冷蔵室風路２８ｂの上部には冷蔵室ダクト２８を備えている。
【００４３】
また、下部冷蔵室風路２８ｂ内にはダンパ装置３７を組み込んでおり、冷蔵室１４とパーシャル室２２への風量を個別に調節するツインダンパを備え、２つのダンパフラップ３７ａの間には駆動用モータ３７ｂが構成されており、このダンパ装置３７によって冷却室２３から冷蔵室１４およびパーシャル室２２への冷気供給量を制御する。
【００４４】
次に図６、７を用いて冷蔵室ダクトのシール構成について説明する。
【００４５】
外周を樹脂で成形された断熱区画壁５の奥側に下部冷蔵室風路２８ｂが発泡スチロールなどの断熱材で形成され、冷蔵室ダクト２８と接続されるシール面２８ｃは断熱区画壁５の手前に向かって下方に傾斜面構造となり、また下部冷蔵室風路２８ｂ内に埋設したダンパ装置３７の駆動用モータ３７ｂの矩形状ケース高さに合わせてシール面２８ｃはダンパフラップ３７ａに対応する部分から緩やかに立ち上がり形状を有している。
【００４６】
図７に示すように、駆動モータ３７ｂの前方に位置する下部冷蔵室風路２８ｂのシール面２８ｃは駆動モータ３７ｂとほぼ同じ高さまで形成され、駆動モータ３７ｂとダンパフラップ３７ａとの間の段差部を下部冷蔵室風路２８ｂの断熱材で埋めることができ、断熱区画壁５の手前方向に向かって（図７では紙面左方向に向かって）、下方に傾斜したシール面を構成している。
【００４７】
そして、断熱区画壁５を冷蔵庫本体１に組み込んだ後、冷蔵室ダクト２８を冷蔵室１４の前面開口部から下部冷蔵室風路２８ｂの上部に嵌め込んだ時、上下方向に対向するシール面には凹凸形状がないためシール面での冷気漏れを低減することができる。
【００４８】
また、図のように、インジェクション成形された断熱区画壁５の一部が下部冷蔵室風路２８ｂのシール面を形成している。具体的には下部冷蔵室風路２８ｂの開口前面壁から左右面壁に亘って発泡スチロールの断熱材が露出し、開口後面壁は、断熱材が断熱区画壁５によって覆われ、シール面となる風路内に露出するようにインジェクション成形されている。図のように、断熱材が露出形成された開口左右面壁とインジェクション成形で露出した開口後面壁との間の連続しないシール面部分には軟質フォーム材を貼付している。
【００４９】
以上のようにダクトを形成することで、冷却室からファン２５で強制通風された冷気は断熱区画壁５の第１冷気供給口３３を通ってダンパ装置３７で各貯蔵室温度に応じてダンパフラップ３７ａの動作を制御し、冷蔵室１４およびパーシャル室２２に冷気を供給制御する。
【００５０】
この時、冷蔵室ダクト２８と下部冷蔵室風路２８ｂはシール面２８ｃでシールされているので駆動モータ３７ｂ周辺のシール面が凹凸形状でシール面を構成せず、緩やかな傾斜面および前方に向かって下方に傾斜したシール面となっているので隙間を低減することができ冷気漏れによる冷却効率の低下および結露を抑制することができる。
【００５１】
以上、本発明に係る冷蔵庫について、上記実施の形態を用いて説明したが、本発明は、これに限定されるものではない。すなわち、今回開示された実施の形態はすべての点で例示であって制限的なものではないと考えられるべきである。つまり、本発明の範囲は上記した説明ではなくて特許請求の範囲によって示され、特許請求の範囲と均等の意味及び範囲内でのすべての変更が含まれることが意図される。
【産業上の利用可能性】
【００５２】
本発明は、ダクト内にダンパ装置を埋設しダンパ装置部分のシール性を確保した冷蔵庫を提供することができる。よって、家庭用および業務用など様々な種類および大きさの間冷式の冷蔵庫に適用すれば効果的である。
【符号の説明】
【００５３】
１  冷蔵庫本体
１４  冷蔵室
２３  冷却室
２４  冷却器
２５  ファン
２８  上部冷蔵室風路（冷蔵室ダクト）
２８ｂ下部冷蔵室風路
２８ｃシール面（シール接続部）
３７  ダンパ装置
３７ａ  ダンパフラップ
【図１】
2018146130.tif 000003
【図２】
2018146130.tif 000004
【図３】
2018146130.tif 000005
【図４】
2018146130.tif 000006
【図５】
2018146130.tif 000007
【図６】
2018146130.tif 000008
【図７】
2018146130.tif 000009
【図８】
2018146130.tif 000010